(57)【要約】  【課題】  道路工事用などの大きさ屋設置場所に制限のある場合でも、小型化が容易でしかも無理なく必要な文字情報や工事中を表す画像をスクロール表示できる表示警告灯を提供する。  【解決手段】Ｓ個のＬＥＤ２を一定間隔ｔで直線状に配列したＬＥＤユニットバー３のｎ列を、円周方向に等間隔（３６０°／ｎ）に中心部より外周部にかけ半径方向に沿って配置するとともに、隣接する発光素子ユニットバーの最外周側の間隔を前記ｔの整数倍にする。前記各ＬＥＤユニットバー３にてＬＥＤ２により表示する画像データ数は、ＬＥＤユニットバー３の各段のＬＥＤ２の、円形中心位置からの半径方向の距離に応じて外周側データを内周側データに比べて段階的に増やすとともに、前記発光素子ユニットバー間の仮想表示領域におけるデータは、最外周側データを基本にしてｍと設定し、内周側については同一のデータを重複させることによりデータ数がｍになるように設定している。【選択図】      図７
2010032933.tif 000002
【特許請求の範囲】
【請求項１】
つぎの事項(1)〜(5)により特定されることを特徴とする表示警告灯。
(1)  Ｓ個の発光素子を一定間隔ｔで直線状に配列した発光素子ユニットバーのｎ列を、円周方向に等間隔（３６０°／ｎ）に中心部より外周部にかけ半径方向に沿って配置するとともに、隣接する発光素子ユニットバーの最外周側の間隔を前記ｔの整数倍にする。
(2)  前記各発光素子ユニットバーにて発光素子により表示する画像データ数は、発光素子ユニットバーの各段の発光素子の、円形中心位置からの半径方向の距離に応じて外周側データを内周側データに比べて段階的に増やすとともに、
前記発光素子ユニットバー間の仮想表示領域におけるデータは、最外周側データを基本にしてｍと設定し、内周側については同一のデータを重複させることによりデータ数がｍになるように設定する。
(3)  表示させる画像データを、前記発光素子ユニットバー間の仮想表示領域のデータｍを含むビットマップ形式の画像データで構成する。
(4)  前記画像メモリをリードアクセスし、読み出した連続するＳ個の列データを第１の発光素子ユニットバーの位置に該当するライトポイントに書き込み、以下順次各発光素子ユニットバーの位置に該当するライトポイントに前記画像メモリから読み出した前記列データを書き込む。ここで、前記各列データをラッチして各発光素子ユニットバーの発光素子に出力して表示する。この状態で、スクロールポイントに１を加算してつぎの表示の準備をし、前記の手順を繰り返すことによりスクロール表示する。
(5)  前記各発光素子ユニットバーのドライブ回路にシフトレジスタを介して前記画像データを分配するとともに、前記画像データを全体的に同期制御しスクロール表示をするための中央制御装置を備える。
【請求項２】
つぎの事項(6)〜(7)により特定されることを特徴とする請求項１記載の表示警告灯。
(6)  ｎ列の前記発光素子ユニットバーを配置した円形基盤を、表示警告灯本体の前後両面にそれぞれ設ける。
(7)  前記表示警告灯本体の頂面に太陽光発電パネル装置を設け、前記表示警告灯本体に充電用バッテリーを内蔵し、前記太陽光発電パネル装置にて発生させた電力で前記バッテリーに充電する。
【請求項３】
つぎの事項(8)により特定されることを特徴とする請求項２記載の表示警告灯。
(8)  前記太陽光発電パネル装置にて発生する電圧値に基づいて、前記発光素子ユニットバーにおける各発光素子の消費電力を制御する。
【発明の詳細な説明】
【技術分野】
【０００１】
この発明は、ＬＥＤ（発光ダイオード）などの発光素子を一定間隔で直線状に配列した発光素子ユニットバー表示器が中心部より外周部かけ半径方向に沿って円周方向に等間隔に配列された表示警告灯に関するもので、詳しくは、道路工事などで使用されるところの、スクロール表示警告灯に関する。
【背景技術】
【０００２】
ＬＥＤなどの発光素子を用いたスクロール表示灯として、複数の発光素子が一定間隔で縦に直線状に配列された発光素子列を、前記発光素子間の間隔と同じ間隔で横に長く並べたドットマトリックス式表示パネルが実用化されている。この種の表示パネルは、例えば１６×１６ドットで１文字を構成するビットマップ形式の文字列データを順次作成し、横方向に文字列を一定速度でスクロール表示するものが一般的である。このように文字列を横方向に移動させて表示するスクロール表示灯において表示する文字数を増やすためには、表示パネルの横方向のドット数(発光素子の数)を大幅に増やす必要があり、表示パネルの長さが長くなり、またコストも大幅にアップする。
【０００３】
そこで、目の錯覚(残像）を利用して発光素子を一定間隔で縦に直線状に配列した発光素子ユニットバー表示器を、横方向に前記発光素子間の間隔の５倍以上の間隔をあけて複数列配列し、発光素子ユニットバー表示器間の仮想空間部にも発光素子ユニットバー表示器が存在するものと想定して例えば１６×１６ドットで１文字を構成したビットマップ形式の文字列の画像データを順次供給し、横方向に移動するスクロール表示を行うスクロール表示装置が提案されている（例えば、特許文献１参照）。このスクロール表示装置によれば、発光素子ユニットバー表示器の所定位置の発光素子が画像データに基づいて順次発光させ、スクロール表示する。結果的には、５列以上の発光素子ユニットバー表示器のうち１列だけが発光するが、スクロールの速度をある程度上げることで、仮想空間部における画像データ(文字列)も認識できるようになる。
【特許文献１】特開平８−１７９７１７号公報
【発明の開示】
【発明が解決しようとする課題】
【０００４】
上記の先行技術に係るスクロール表示装置には、大型サイズの表示装置を低価格で実現できるなどの効果を有するが、つぎのような点で改良の余地がある。すなわち、上記スクロール表示装置は、縦向きのユニットバー表示器が発光素子間隔の５倍以上の間隔をあけて横方向に複数列平行に並べて配置される構造であるから、とくに道路工事用などの設置場所や大きさに制限を受ける表示警告灯には、不向きである。
【０００５】
また、道路工事用の表示警告灯にあっては、しばしば電力の供給先が問題になる。工事車両に発電装置を搭載しているときでも、その工事車両から表示装置の設置場所まで電源ケーブルを敷設しなければならない上に、電源ケーブルの管理も必要になるからである。
【０００６】
本発明は上述の点に鑑みなされたもので、道路工事用などの大きさや設置場所に制限のある場合でも、小型化が容易でしかも無理なく必要な文字情報や工事中を表す画像などをスクロール表示できる表示警告灯を提供することを目的としている。また、道路上などに設置する場合に、電力供給を受けずに長時間にわたり点灯させることができる太陽光発電パネル装置を備えた表示警告灯を提供することを第２の目的としている。
【課題を解決するための手段】
【０００７】
上記の目的を解決するために本発明に係る表示警告灯は、つぎの事項(1)〜(5)により特定されることを特徴とする。
【０００８】
(1)  Ｓ個の発光素子を一定間隔ｔで直線状に配列した発光素子ユニットバーのｎ列を、円周方向に等間隔（３６０°／ｎ）に中心部より外周部にかけ半径方向に沿って配置するとともに、隣接する発光素子ユニットバーの最外周側の間隔を前記ｔの整数倍にする。
【０００９】
(2)  前記各発光素子ユニットバーにて発光素子により表示する画像データ数は、発光素子ユニットバーの各段の発光素子の、円形中心位置からの半径方向の距離に応じて外周側データを内周側データに比べて段階的に増やすとともに、前記発光素子ユニットバー間の仮想表示領域におけるデータは、最外周側データを基本にしてｍと設定し、内周側については同一のデータを重複させることによりデータ数がｍになるように設定する。
【００１０】
(3)  表示させる画像データを、前記発光素子ユニットバー間の仮想表示領域のデータｍを含むビットマップ形式の画像データで構成する。
【００１１】
(4)  前記画像メモリをリードアクセスし、読み出した連続するｓ個の列データを第１の発光素子ユニットバーの位置に該当するライトポイントに書き込み、以下順次各発光素子ユニットバーの位置に該当するライトポイントに前記画像メモリから読み出した前記列データを書き込む。ここで、前記各列データをラッチして各発光素子ユニットバーの発光素子に出力して表示する。この状態で、スクロールポイントに１を加算してつぎの表示の準備をし、前記の手順を繰り返すことによりスクロール表示する。
【００１２】
(5)  前記各発光素子ユニットバーのドライブ回路にシフトレジスタを介して前記画像データを分配するとともに、前記画像データを全体的に同期制御しスクロール表示をするための中央制御装置を備える。
【００１３】
上記の事項(1)〜(5)により特定される表示警告灯によれば、例えば「工事中注意」の文字列や工事中を表す図形を含むビットマップ形式の画像データが、円周方向に等間隔に配列された各発光素子ユニットバーの発光素子に対し分配して同時に出力される。このとき、各発光素子ユニットバーの内周側の発光素子に比べて外周側の発光素子に対しては出力される画像データの量が多く、いったんラッチされたのち、発光素子に出力される時間(発光の間隔）が外周側ほど長くなる。
【００１４】
また、この画像データは、１の発光素子ユニットバーとつぎの発光素子ユニットバーとの仮想表示領域におけるデータ数ｍの間隔(ｍ＋１)をあけて各列の発光素子ユニットバーに同時に出力される。そして、順次つぎの画像データに更新されたのち、更新されたデータが出力されると同時に、更新前のデータは仮想表示領域へ移動してスクロール表示される。
【００１５】
いいかえれば、上記の画像データは、同一円周(各段の発光素子位置）上のデータ単位で同一方向(例えば時計方向）に一定速度でスクロールすることによって、発光素子ユニットバー間の仮想空間部（仮想表示領域）における画像データ（文字列）も含めて画像データの全体像がはっきりと認識されるが、同一円周(各段）上の画像データの量(データ量）は、各段の中心位置からの半径方向における距離に比例し、内周側より外周側に行くにしたがって多くなる。しかし、最外周のデータを基本にｍと設定し、外周側に比べてデータ数が減少している内周側についても、最外周のデータ数ｍと等しくするために同一のデータを重複して設定している。このため、スクロール表示した際には、内周側に行くにしたがってデータの変化が少ないように見える。また、各発光素子ユニットバーに出力される画像データの時間的間隔は外周側ほど内周側に比べて長くなったように見える。この結果、円周方向の各列の発光素子ユニットバーの間において，表示画像は外周側ほどスクロール(シフト)する距離が大きく見えるのである。
【００１６】
請求項２に記載のように、請求項１記載の表示警告灯の事項(1)〜(5)に、つぎの事項(6)(7)を加えて特定することができる。
【００１７】
(6)  ｎ列の前記発光素子ユニットバーを配置した円形基盤を、表示警告灯本体の前後両面にそれぞれ設ける。
【００１８】
(7)  前記表示警告灯本体の頂面に太陽光発電パネル装置を設け、前記表示警告灯本体に充電用バッテリーを内蔵し、前記太陽光発電パネル装置にて発生させた電力で前記バッテリーに充電する。
【００１９】
このように上記(6)(7)の事項を構成要素として備えることにより、太陽光の照射を受けて太陽光発電パネル装置から電力が発生し、この発生した電力がバッテリーに蓄積(充電)される。そして、また、稼働状態では、太陽光発電パネル装置から発生する電力量が発光素子ユニットバーの発光素子の発光および画像データのスクロール表示に必要な電力量を超えていれば余分な電力量がバッテリーに充電され、逆にその電力量に満たなければ、不足した電力量がバッテリーから補われる。
【００２０】
請求項３に記載のように、請求項２記載の表示警告灯の事項(1)〜(7)に、つぎの事項(8)を加えて特定されることを特徴とする。
【００２１】
(8)  前記太陽光発電パネル装置にて発生する電圧値に基づいて、前記発光素子ユニットバーにおける各発光素子の消費電力を制御する。
【００２２】
このように上記(8)の事項を構成要素として備えることにより、太陽光発電パネル装置で発生する電力の電圧値が基準値より低ければ夜間と判定し、発光素子ユニットバー表示器における各発光素子の消費電力を下げる一方、その電圧値があらかじめ設定した基準値より高ければ昼間と判定し、発光素子ユニットバーにおける各発光素子の消費電力を上げるので、表示警告灯の画像データが常に見やすく表示されるとともに、消費電力が必要最小限に抑えられる。
【発明の効果】
【００２３】
この発明によれば、比較的少ない個数のＬＥＤなどの発光素子により大サイズ並みの精細な画像を視認可能なスクロール表示を行うことができ、さまざまな状況下においてさまざまな装置形態でこのスクロール表示を実現できる。いずれの場合も従来の横に長く連続する長方形状のドットマトリクス型表示パネルに比べ、複数列の発光素子ユニットバーを円周方向に等角度(回転角度）で備えた円形表示盤を基本形態とするから，コンパクトで小型化でき、設置場所をとらず、しかも画像データをエンドレスで表示することができ、精細な表示性能や表示サイズの大きさから見て大幅に装置のコストダウンを図ることができる。
【発明を実施するための最良の形態】
【００２４】
以下に、本発明の表示警告灯について実施の形態を図面に基づいて説明する。
【００２５】
図５は図１（表示警告灯の一実施形態を示す正面図）の表示警告灯の正面の円形カバーを取り外した状態を示す説明図、図６は画像データの表示態様を模式的に示す概略図で、実際には表示されていない仮想空間部にも表示して人の目に見える状態を表している。図７は図１の表示警告灯におけるブロック図とデータ伝送系統のフロー図である。
【００２６】
本発明の一実施形態によるデータ伝送系統を図７に示している。本例では、スクロール表示装置１の主要部をなす、８個のＬＥＤ(発光素子）２を一定間隔ｔで直線状に配列してＬＥＤ（発光素子）ユニットバー３を構成する。また、本例では１２列のＬＥＤユニットバー3A,3B,3C、…3Lを円形表示基盤２上に円周方向に等間隔（３６０°／１２＝３０°）に、かつ半径方向に沿って中心部より外周部にかけて配列する。各ＬＥＤユニットバー3A〜3Lの各ＬＥＤ２には、８ビットのＬＥＤドライバー（ドライブ回路）７を付帯している。このドライバー７は、本例では８ビットのシフトレジスタ(図示せず）とＬＥＤデータラッチ８を一体化している。
【００２７】
各ドライバー７は、中央制御装置（ＣＰＵ）６を介して画像メモリ５のデータ出力につながっており、タイミング発生回路(図示せず）からのクロックに同期してつぎのように動作する。
【００２８】
すなわち、本例では８×９ビットで１文字を構成したビットマップ形式の文字列の画像データが画像メモリ５に記憶されているものとする。その画像データの各縦列の７ビットのデータを列データと称し、各列データに順番に例えばＤ１、Ｄ２、Ｄ３、…という番号をつける。
【００２９】
中央制御装置（ＣＰＵ）６は、画像メモリ５からあらかじめ記憶させた画像データの各列データを読み出して、各ドライバー７に入力していく。タイミング発生回路は、８個からなる列データの８ビットの列情報を画像メモリ５から読み出すごとに、全ドライバー７に一斉にラッチ信号を供給する。つまり、画像データの各列のデータを順番に各列のドライバー７に供給してＬＥＤユニットバー３の８個のＬＥＤ２をドライバー７に出力する直前で，データラッチ８に固定(ラッチ）された８ビットの列データに従って表示ドライブする。また、図示を省略したシフトレジスタは、データラッチ８の固定した列データをドライバー７でＬＥＤユニットバー３の各段のＬＥＤ２に出力したのちに、つぎつぎと横へ送り出す。つまり、シフトレジスタは、画像メモリ５から送り出された列データを一連に連続する列データへ並列状態から直列状態に変換し、データラッチ８へ連続するように送り出し、データラッチ８がラッチした列データをドライバー７を介してＬＥＤ２に出力すると同時にシフトレジスタの列データをつぎの列データに書き換えることにより、データを円周方向へつぎつぎとスクロールする役目をしている。
【００３０】
このとき同時に、ＬＥＤユニットバー３の各段のＬＥＤ２に入力される外周側と内周側のデータ量の差異により、中央制御装置６によりつぎのような制御が行われる。詳しくは、図７に示すように、最外周の１段目と最内周の８段目とでは、隣接するＬＥＤユニットバー３のＬＥＤ２とＬＥＤユニットバー３のＬＥＤ２との同一円周上間の距離ｘ１と、ＬＥＤユニットバー３のＬＥＤ２とＬＥＤユニットバー３のＬＥＤ２との同一円周上間の距離ｘ８に応じてデータ量を異ならせている。距離ｘ１と距離ｘ８は、それぞれ円形表示基盤４の中心位置からの半径方向寸法ｒ１とｒ８とにそれぞれ比例する。すなわち、ＬＥＤユニットバー３の８段目(最下段目）から１段目(最上段目）のＬＥＤ２にかけて仮想データ量(数）ｍは段階的に増加する。いいかえれば、円形表示基盤４の各段目の同一円周上間の仮想データ量ｍは中心位置からＬＥＤユニットバー３の各段のＬＥＤ２までの半径方向の距離ｒに対応する。しかし、あたかも最上段目間を基本のデータ数ｍとし最下段目間を円周方向に沿って最上段目間と同一距離になるようにデータ数をｍに増やして引き伸ばし、全体的に長方形に展開した状態になる。隣接するＬＥＤユニットバー３の最上段（１段）目の間の距離ｘ１に存在する列データが例えば４個（D1・D2・D3・D4）とし、最下段(８段)目の間の距離ｘ８に存在する列データが例えば２個（D2・D3）と仮定すると、長方形に展開した状態では、１段目間はD1・D2・D3・D4のままであるが、８段目間はD2・D2・D3・D3と同一データを繰り返すことでデータ数（量）をｍとして共通にしている。中間部(２段目間〜７段目間）についても最上段間と同じ４個となるように一部データが繰り返されることになる。例えば、１段目のデータを１０ビット、２段目を９ビット、３段目を８ビット、……８段目を３ビットとし、１秒間に１０ビットのデータが順次入力されるとする。この場合、１段目では１０個のデータ（ＬＥＤ２が発光するか・発光しないか）が入力されるが，８段目では３個のデータしか入力されないから、残りの７回は３個の各データを重複させることになる。いいかえれば、１段目のＬＥＤ２と８段目のＬＥＤ２では、円周方向に隣接するつぎのＬＥＤユニットバー３までの仮想表示領域の距離（間隔）ｘが１段目は広く８段目にかけて段階的に狭くなるから，その間隔の広い・狭いに応じて画像データのシフト（スクロール）する距離は１段目の方が８段目よりもかなり大きくなっており，１段目から８段目にかけて段階的に小さくなっている。つまり、最外周の１段目のＬＥＤ２から最内周の８段目のＬＥＤ２にかけてＬＥＤ２が駆動（発光）される時間的間隔は、８段目の方が１段目よりも短くなったように見える。視覚的には、１段目（最外周）に比べて７段目（最内周）のＬＥＤ２の方はスクロール表示のスクロールする量が小さくなり、図６に示すように同一円周方向に連続して見えるＬＥＤ２の発光点の間隔が詰まってくる。このような動作(制御）は、全て中央制御装置６にて行われる。
【００３１】
上記したように、ピクセルデータの画像データ数は発光データと仮想データとの合計が外周側に行くにしたがって内周側よりも多くなる。１クロックでの画像データー数は同じで最外周のＬＥＤ２は５回のクロックで，データをシフトする量が最内周側のＬＥＤ２に比べて多くなる。例えば、円周方向で隣接するＬＥＤユニットバー３間の仮想表示領域における仮想データｍが５ピクセルあると仮定すると、５回のクロックでつぎのＬＥＤユニットバー３へ移り、５回ほど同一データを出力する。１クロック当たりの点滅データ量が内周側から外周側に行くほど多くなるので，１ピクセルデータ当たりのＬＥＤの発光時間は１段目から８段目にかけて短く（速く）なる。つまり、最外周側の１段目から８段目の内周側に近づくほど速くなる。
【００３２】
そして、プログラムを組むときに、ＬＥＤユニットバー３の各段のＬＥＤ２における同一円周上で隣接するＬＥＤユニットバー３・３間の各段目のＬＥＤ２・２間における円周上の距離を計算で求めたうえ、その円周方向の距離に応じてピクセル数が決められるので，内外周側でシフトする量が異なることになる。このような各段のＬＥＤ２におけるシフト(スクロール）の距離は、中央制御装置６で制御することにより設定される。これに対し、上記先行技術に係る特許文献１の場合は、隣接する各ＬＥＤユニットバー３・３間が等距離で相互に平行に配列されているので，上下の表示部が同じ速さで同一距離ずつスクロールすることになる。
【００３３】
なお、上記の実施形態におけるＬＥＤユニットバー３と隣接するつぎのＬＥＤユニットバー３間の中間仮想部(仮想表示領域）における列データとの関係を図２に模式的に示している。１文字が本例では７×９（または８×９）ドットで構成された「ＯＰＥＮ」という４文字のビットマップ形式の画像データの流れと、１列目と９列目のＬＥＤユニットバー３を重ねて表現している。つまり、画像データのドットとＬＥＤ２のドットとが重なった部分を黒丸で示しているが、この黒丸のＬＥＤ２が発光状態を表している。９列の列データで構成される１文字のデータのうち、２列の列データのみが隣接する２列のＬＥＤユニットバー３にて表示されるが、中間仮想部における他の７列の列データは隠れており、一切表示されない。しかし、例えば毎秒１０文字の速度でスクロール表示制御を行うことで、これを見ている人には７×９（または８×９）ビット構成の文字として認識させることができる。
【００３４】
ところで、上記にスクロール表示装置の一実施形態について説明したが，以下に，上記のスクロール表示装置１を用いた表示警告灯１１について実施の形態を図面に基づいて説明する。
【００３５】
図１は表示警告灯の一実施形態を示す正面図、図２は図１の表示警告灯の背面図、図３は図１の表示警告灯の平面図、図４は図１の表示警告灯の右側面図である。
【００３６】
これらの図面に示すように，本実施形態の表示警告灯１１は、支持台（図示せず）上に設置して使用するタイプである。このため、表示警告灯１１の本体１１ａの下端に平坦な台座１２を一体に備え、台座１２の正面２箇所と背面１箇所の３箇所に，支持台に取り付けるための止めネジ１３を回転可能に付属している。本体１１ａは、スクロール表示装置１の円形に対応する円弧状の張り出し部分を両側面の上下方向の中間位置に形成し、本体１１ａの正面と背面にスクロール表示装置１をそれぞれ一体に設けている。また、本体１１ａの上端に板状の載置台１４を一体に備え、太陽光発電パネル装置(以下、ソーラーパネルともいう）１５を載置台１４上に一体的に載置し固定している。この太陽光発電パネル装置１５は、頂面中央部が両側に比べて徐々に上方へ膨出し、正面から見て中央部が円弧状に上向きに湾曲している。
【００３７】
本体１１ａ内には、図８に示すようにバッテリー１６が取り出し可能に収納されている。また、充電制御回路２２のほか、スクロール表示装置１のＬＥＤ２を駆動するためのドライブ回路（ＬＥＤ表示ドライバー）７、スクロール表示する画像データを記憶させる画像メモリ５などの電子機器，中央制御装置（ＣＰＵ）６を含むマイクロコンピュータなどが本体１１ａに内蔵されている。さらに、本体１１ａには、充電状態を表示する表示灯２３のほか、スクロール表示を切り替えるための切換スイッチ１８が表示切り替え制御回路２４を介して装着されている。また、ＬＥＤユニットバー３（ＬＥＤ表示部）３の表面には，集光用レンズ１７（図１・図２）が装着されているが、このレンズ１７は低電圧においてＬＥＤ２の明るさを充分に発揮させるためのものである。
【００３８】
図８は太陽光発電パネル装置を備えた本発明の表示警告灯の全体を示すフロー図である。この図８に示すように，ソーラーパネル１５からバッテリー１６の方向へのみ充電制御回路（ダイオード等）２２が電流を流すように制御する。また、ソーラーパネル１５が太陽光を受けて発生する電圧は、充電制御回路２２によりバッテリー１６の電圧には影響されないので、ソーラーパネル１５の電圧値に基づいて各ＬＥＤユニットバー３のＬＥＤ２の消費電力、いいかえればＬＥＤ２の明るさ（照度）が制御される。つまり、表示警告灯１１の周辺が暗く(いいかえれば夜間に）なると、ソーラーパネル１５で発生する電圧値が下がるので、ＬＥＤ表示部３のＬＥＤ２の明るさを暗くし，逆に表示警告灯１１の周辺が明るく(いいかえれば昼間に）なると，電圧値が上がるので、ＬＥＤ２の明るさを明るくする。この結果、表示警告灯１１の周辺の明暗に対応してＬＥＤ２の明るさが調節され、スクロール表示装置１は常に見やすい状態に保たれるとともに、消費電力も抑えられ、省エネルギー化が図られる。
【００３９】
以上説明したスクロール表示の制御原理をさらに一般化して説明すると、つぎのようになる。つまり、中央制御装置６の画像メモリ５には、縦ｓビットで横はｗビットのビットマップ形式の画像データが格納されており、（ｓ×ｗ）ドットの画素構成と見なしている前記仮想表示領域に前記画像データを仮想的に展開するとともに、ｎ本の前記各ＬＥＤ列の配列パターンを仮想的に重ね合わせ、それぞれのＬＥＤユニットバー３の列のｓ個の各ＬＥＤ２の位置にそれぞれ重なるｓドット分のデータを前記画像メモリ５から抽出して該当の前記ＬＥＤ列のドライバー７に供給するのに相当するデータ抽出操作を行い、また、前記仮想表示領域に展開する前記画像データについては、最外周側のデータを基本にしてｍと設定し、それより内周側については同一のデータを重複させることによりデータ数をｍに揃える。したがって、内周側に行くほど同一データが繰り返されるので、変化が少なくなる。この結果、実際には各ＬＥＤユニットバー３における各段のＬＥＤ２を駆動し，上記画像データに基づいて発光させているが、各段のＬＥＤ２で発光する時間間隔は、仮想表示領域において各段のＬＥＤ２の発光点がスクロールする距離が外周側ほど大きくなり、図６のように見えるのである。
【００４０】
上記したとおり、円周方向に等間隔で隣接する半径方向のＬＥＤユニットバー３の各段のＬＥＤ２間における仮想表示領域のデータについては、１段目(最外周側）間のデータ数（量）ｍを基本にして２段目間〜７段目(８段目)間についてもそれぞれ１段目間と等しくなるように引き伸ばして、いいかえれば、２段目から７段目（８段目）にかけてはデータ数がｍに足りないから、それぞれ同一データを繰り返す(重複させる）とともに、繰り返す(重複させる）データを７段目（または８段目）に近づくにつれて段階的に増やして全てを基本のデータ数ｍに揃えることで、仮想表示領域における１段目〜７段目（８段目）までのデータ数をｍとして共通にしている。
【００４１】
図９はマイクロコンピュータによるスクロール表示の動作工程を順番に示すフローチャートである。画像メモリ５のリードアクセスの制御手順は、図９に示すように、画像メモリ５内のスクロール表示用画像データは、最外周のデータを基本にｍを設定し、内周に行くにしたがってデータが減少しているので、最外周のデータ数ｍと等しくするために同一のデータを重複して設定したから、内周側に行くにしたがってデータの変化が少ない。
【００４２】
まずスタート（step001）させ、スクロール位置ポイントＳＰをリセットし、０にする。また、ＬＥＤユニットバー３の総本数をｎ本とする（step002）。つぎに、表示データの全てからなるスクロール位置ポイントＳＰの値を、読み込みデータポイントであるリードポイントＰにセット(移す)する（step003）。この段階で、ＳＰ＝Ｐ＝０となる。続いて、データの書き込み位置としてのＬＥＤ表示位置（ＬＥＤユニットバー３の位置）、つまりライトポイントＷＰをリセットして０にする（step004）。この段階で、ＳＰ＝Ｐ＝ＷＰ＝０となる。ここで、上記スクロール位置ポイントＳＰは、全ＬＥＤユニットバー３およびＬＥＤユニットバー３間の全仮想表示領域のデータがスクロールする全ての位置（ポイント）を表し、リードポイントＰは画像メモリ５内のデータの位置(アドレス）を表し、step003によりスクロール位置ポイントＳＰに対応したアドレスが画像メモリ５内の各データに付される。なお、ライトポイントＷＰは、各ＬＥＤユニットバー３の位置を表している。
【００４３】
画像メモリ５内のデータから、書き込み用データをライトポイントＷＰに書き込む（step005）。ライトポイントＷＰに書き込んだデータを、シフトレジスタにセットする（step006）。この状態で、ライトポイントＷＰに１を加算する（step007）。
【００４４】
つぎに、ライトポイントＷＰに書き込んだデータがＬＥＤユニットバー３の総数であるｎに達したか否かを検索する（step008）。そして、ＮＯであれば、リードポイントＰに、仮想表示領域の基本データ数ｍ＋１を加算する（step009）。この結果、つぎのＬＥＤユニットバー３に、画像メモリ５のデータを書き込む工程へ進むことになる。上記のstep005〜step007の工程、すなわち、書き込み用データをライトポイントＷＰに書き込む（step005）・ライトポイントＷＰに書き込んだデータを、シフトレジスタにセットする（step006）・ライトポイントＷＰに１を加算する（step007）の各工程がこの順番に繰り返される。つぎにライトポイントＷＰに書き込んだデータがＬＥＤユニットバー３の総数であるｎに達したか否かを検索する（step008）。ＮＯであれば、リードポイントＰに、仮想表示領域の基本データ数ｍおよび１をそれぞれ加算する（step009）ことで、さらにつぎのＬＥＤユニットバー３に、画像メモリ５のデータを書き込む工程へ進み、ライトポイントＷＰに書き込んだデータがＬＥＤユニットバー３の総数であるｎに達するまで、各工程が繰り返される。
【００４５】
ライトポイントＷＰに書き込んだデータがＬＥＤユニットバー３の総数であるｎに達してstep008の検索結果がＹＥＳになると、全てのＬＥＤユニットバー３のデータをラッチ回路にラッチし、各ＬＥＤ２をドライブ回路を介して駆動し、全てのＬＥＤユニットバー３のうちデータに該当するＬＥＤ２を発光させる（step010）。そして、つぎの工程で、ＬＥＤ２の発光時間、つまり表示時間を確保し、スクロール時間を調整する（step011）。続いて、スクロール位置ポイントＳＰに１を加算し、つぎの表示の準備工程に進む（step012）。それから、スクロール表示が完了したか否かを検索する（step013）。そして、ＬＥＤユニットバー３に表示させるデータが最後部まで行っていないとき、すなわち、検索結果がＮＯであれば、スクロール位置ポイントＳＰを、読み込みデータポイントであるリードポイントＰにセットする（step003）に戻り、step003〜step013の工程が繰り返される。以上のようにして、ＬＥＤユニットバー３に表示させるデータが最後部まで行き、スクロール表示が完了すると、step013の検索結果がＹＥＳになる。そして、step002の工程に戻り、上記した一連の工程（step002〜step013）が繰り返される。このようにして、円周方向に配置されたＬＥＤユニットバー３の全てあるいは複数本が同時に発光し、時計方向あるいは反時計方向にスクロールして画像メモリ５に記憶させた文字や図形を表示する。上記実施例の場合、ＬＥＤユニットバー３のＬＥＤ２の間隔をｔとしたときに、円周方向に隣接するＬＥＤユニットバー３の最外周に配置された１段目のＬＥＤ２の間隔(距離）は５ｔに設定しているが、この間隔は文字や図形などの画像をスクロールする速度を速くすれば、さらに狭くできる。すなわち、スクロールする速度で任意に調整することができる。
【００４６】
上記に、本発明の表示警告灯についての一実施形態例を説明したが、ＬＥＤユニットバー３の列数は例えば１６列であっても８列であってもよく、またＬＥＤユニットバー３を構成するＬＥＤ２の数は例えば１６個であっても８個であっても良く、さらに画像データの１文字のドット数は例えば１６×１６であっても８×８であっても良い。
【図面の簡単な説明】
【００４７】
【図１】本発明の表示警告灯の一実施形態を示す正面図である。
【図２】図１の表示警告灯の背面図である。
【図３】図１の表示警告灯の平面図である。
【図４】図１の表示警告灯の右側面図である。
【図５】図１の表示警告灯の正面の円形カバーを取り外した状態を示す説明図である。
【図６】画像データの表示態様を模式的に示す概略図で、実際には表示されていない仮想空間部にも表示して人の目に見える状態を表している。
【図７】図１の表示警告灯におけるブロック図とデータ伝送系統のフロー図である。
【図８】太陽光発電パネル装置を備えた本発明の表示警告灯の全体を示すフロー図である。
【図９】マイクロコンピュータ(中央制御装置)によるスクロール表示の動作工程を順番に示すフロー図である。
【符号の説明】
【００４８】
１  スクロール表示装置
２  ＬＥＤ(発光素子）
３  ＬＥＤ（発光素子）ユニットバー
４  円形表示基盤
５  画像メモリ
６  中央制御装置（ＣＰＵ）
７  ドライブ回路（ＬＥＤドライバー）
８  ラッチ回路（ＬＥＤデータラッチ）
１１  表示警告灯
１１ａ本体
１２  台座
１３  止めネジ
１４  載置台
１５  太陽光発電パネル装置(ソーラーパネル）
１６  バッテリー
１７  集光用レンズ
１８  切換スイッチ
２２  充電制御回路
２３  表示灯
【図１】
2010032933.tif 000003
【図２】
2010032933.tif 000004
【図３】
2010032933.tif 000005
【図４】
2010032933.tif 000006
【図５】
2010032933.tif 000007
【図６】
2010032933.tif 000008
【図７】
2010032933.tif 000009
【図８】
2010032933.tif 000010
【図９】
2010032933.tif 000011